(57)【特許請求の範囲】
【請求項１】
背もたれ部と、座面部と、前記座面部の左右両側に配置された肘掛け部とを備えるソファーの外周を覆うソファーカバーであって、
前記背もたれ部の、正面側を覆う背もたれカバーと、
前記背もたれカバーの下縁部に接続されて、前記座面部を覆う座面カバーと、
前記背もたれカバーの上縁部に接続されて、前記背もたれ部の背面側を覆う背面カバーと、
前記背もたれカバー、前記座面カバー及び前記背面カバーの左右両側に接続されて、前記肘掛け部を覆う肘掛けカバーとを備え、
前記背面カバー及び前記肘掛けカバーが、伸縮性を有する生地で形成され、
前記背もたれカバー及び前記座面カバーが、非伸縮性の生地で形成されていることを特徴とするソファーカバー。
【請求項２】
前記背もたれカバーと前記座面カバーの接続部の裏側、及び／又は、前記座面カバーと前記肘掛けカバーの接続部の裏側に、前記ソファーの前記背もたれ部と前記座面部との隙間に差し込まれる、ストッパー部材が装着可能とされている請求項１記載のソファーカバー。
【請求項３】
前記背もたれカバーと前記座面カバーの接続部の裏側、及び／又は、前記座面カバーと前記肘掛けカバーの接続部の裏側に、ゴムを有する伸縮可能な筒状バンドが取付られ、前記ストッパー部材は、弾性材料で形成された棒状体からなり、前記筒状バンドに挿入されて、その両端開口から突き出して装着されるように構成されている請求項２記載のソファーカバー。
【発明の詳細な説明】
【技術分野】
【０００１】
本発明は、背もたれ部と、座面部と、座面部の左右両側に配置された肘掛け部とを備えるソファーの外周を覆うソファーカバーに関する。
【背景技術】
【０００２】
ソファーを汚れや傷み等から保護したり、ソファー自体の美的外観を使用者の好みに合わせて変えるために、ソファーにソファーカバーを被せることが行われている。
【０００３】
例えば、下記特許文献１には、略立方体形状の袋状本体の上面の両側に切り欠き部を有し、該袋状本体の内側の切り欠き部間に、非伸縮性布地よりなる滑り止め辺を有するとともに、袋状本体の底部に開口部を有しているソファーカバーが開示されている。そして、開口部を広げて、袋状本体を、ソファーの背もたれ部、座面部、肘掛け部に被せると共に、滑り止め辺を、ソファーの背もたれ部及び座面部の隙間に差し込むことで、ソファー外周にソファーカバーが装着されるようになっている。また、このソファーカバーの袋状本体は、繊維自体に伸縮性を有する素材をしたものであることが記載されている。
【先行技術文献】
【特許文献】
【０００４】
【特許文献１】特開平１１−３０９０４９号公報
【発明の概要】
【発明が解決しようとする課題】
【０００５】
上記特許文献１のソファーカバーは、袋状本体が伸縮性を有する素材で形成されており、比較的柔軟であるため、カバーを長期に亘って使用した場合に、生地が伸びきったり、へたったり、擦れたり、傷ついたり、破れたりするおそれがあった。特に、使用者の背中があたる背もたれカバーの生地や、使用者の臀部等が載せられる座面カバーの生地について、上記の伸びや、へたり、擦れ、破損等の問題が生じやすかった。
【０００６】
したがって、本発明の目的は、長期に亘って使用しても、背もたれや座面部の伸びや、へたれ、破損等を効果的に抑制することができる、ソファーカバーを提供することにある。
【課題を解決するための手段】
【０００７】
上記目的を達成するため、本発明は、背もたれ部と、座面部と、前記座面部の左右両側に配置された肘掛け部とを備えるソファーの外周を覆うソファーカバーであって、前記背もたれ部の、正面側を覆う背もたれカバーと、前記背もたれカバーの下縁部に接続されて、前記座面部を覆う座面カバーと、前記背もたれカバーの上縁部に接続されて、前記背もたれ部の背面側を覆う背面カバーと、前記背もたれカバー、前記座面カバー及び前記背面カバーの左右両側に接続されて、前記肘掛け部を覆う肘掛けカバーとを備え、前記背面カバー及び前記肘掛けカバーが、伸縮性を有する生地で形成され、前記背もたれカバー及び前記座面カバーが、非伸縮性の生地で形成されていることを特徴とする。
【０００８】
本発明のソファーカバーによれば、ソファーの背もたれ部の正面側を覆う背もたれカバー及び座面部を覆う座面カバーが、非伸縮性の生地で形成されているので、伸縮性を有する生地で形成されている場合よりも、生地の剛性や耐久性を高めることができ、その結果、カバーの伸びや、へたり、擦れ、破損等を抑制して、長期に亘って利用することができる。
【０００９】
また、背面カバーが伸縮性を有する生地で形成されているので、ソファーの背もたれ部が高かったり低かったりした場合でも、背面カバーを適宜伸縮させて、ソファーの背もたれ部の背面側にフィットさせて装着することができ、その結果、ソファーの背もたれ部の正面側に、非伸縮性の背もたれカバーを確実に配置することができる。更に、肘掛けカバーも伸縮性を有する生地で形成されているので、ソファーの肘掛け部が大きかったり幅広であったりした場合でも、肘掛けカバーをソファーの肘掛け部にフィットさせて装着でき、ソファーの座面部に座面カバーを確実に配置することができる。このように、非伸縮性の生地からなる背もたれカバー及び座面カバーを有していても、伸縮性を有する生地と組合せることにより、ソファー形状に適合させて装着することができ、汎用性を高めて利便性を向上させることができる。
【００１０】
本発明のソファーカバーにおいては、前記背もたれカバーと前記座面カバーの接続部の裏側、及び／又は、前記座面カバーと前記肘掛けカバーの接続部の裏側に、前記ソファーの前記背もたれ部と前記座面部との隙間に差し込まれる、ストッパー部材が装着可能とされていることが好ましい。
【００１１】
この態様によれば、背もたれカバーと座面カバーの接続部の裏側、及び／又は、座面カバーと肘掛けカバーの接続部の裏側に、ストッパー部材が装着可能とされているので、このストッパー部材を、ソファーの背もたれ部と座面部との隙間や、ソファーの座面部と肘掛け部との隙間に差し込むことで、ソファーの背もたれ部及び座面部に、背もたれカバー及び座面カバーを、よりフィットさせて装着することができると共に、ストッパー部材によって、ソファーカバーのずれを防止することができる。
【００１２】
本発明のソファーカバーにおいては、前記背もたれカバーと前記座面カバーの接続部の裏側、及び／又は、前記座面カバーと前記肘掛けカバーの接続部の裏側に、ゴムを有する伸縮可能な筒状バンドが取付られ、前記ストッパー部材は、弾性材料で形成された棒状体からなり、前記筒状バンドに挿入されて、その両端開口から突き出して装着されるように構成されていることが好ましい。
【００１３】
この態様によれば、筒状バンドがゴムを有する伸縮可能なものであるため、筒状バンドの一端開口からストッパー部材を押し込むだけで、筒状バンドにストッパー部材を簡単に装着することができると共に、ストッパー部材の外周が筒状バンドの内周に密接するので、筒状バンドに対してストッパー部材を位置ずれしないように、しっかりと装着させることができる。
【発明の効果】
【００１４】
本発明のソファーカバーによれば、ソファーの背もたれ部の正面側を覆う背もたれカバー及び座面部を覆う座面カバーが、非伸縮性の生地で形成されているので、生地の剛性や耐久性を高めて、長期に亘って利用することができると共に、背面カバーが伸縮性を有する生地で形成されているので、背面カバーを適宜伸縮させて、ソファーの背もたれ部の背面側にフィットさせて装着することができ、ソファーの背もたれの正面側に、非伸縮性の背もたれカバーを確実に配置することができる。
【図面の簡単な説明】
【００１５】
【図１】本発明に係るソファーカバーの一実施形態を示す分解斜視図である。
【図２】同ソファーカバーを背面側から見た場合の斜視図である。
【図３】同ソファーカバーの要部拡大斜視図である。
【図４】同ソファーカバーを構成する筒状バンド及びストッパー部材を示す拡大斜視図である。
【図５】同ソファーカバーにおいて、筒状バンドにストッパー部材が装着された状態を示す拡大斜視図である。
【図６】同ソファーカバーにおける筒状バンド及びストッパー部材の断面図である。
【図７】同ソファーカバーをソファーに被せる際の、拡大斜視図である。
【図８】同ソファーカバーをソファーに被せた状態の、斜視図である。
【図９】同ソファーカバーが引っ張られた状態の、要部拡大斜視図である。
【発明を実施するための形態】
【００１６】
以下、図面を参照して、本発明に係るソファーカバーの一実施形態について説明する。
【００１７】
図１に示すように、この実施形態におけるソファーカバー１０は、背もたれ部３と、座面部５と、座面部５の左右両側に配置された肘掛け部７，７とを備えるソファー１の外周を覆うように装着させて用いられるものである。
【００１８】
図１及び図２に示すように、このソファーカバー１０は、ソファー１の背もたれ部３を覆う横長の背もたれカバー２０と、該背もたれカバー２０の下縁部に、接続部Ａを介して接続されて、前記座面部５を覆う座面カバー２４と、背もたれカバー２０の上縁部に接続されて、背もたれ部３の背面側を覆う背面カバー２６と、背もたれカバー２０、座面カバー２４、及び、背面カバー２６の左右両側に、接続部Ｂ，Ｂを介して接続されて、前記肘掛け部７，７を覆う肘掛けカバー２８，２８とを備えており、ソファー１の底面を除く外周を覆う袋状に形成されている。
【００１９】
そして、このソファーカバー１０は、各カバーのうち、背面カバー２６及び肘掛けカバー２８，２８が、伸縮性を有する生地で形成され、一方、各カバーのうち、背もたれカバー２０及び座面カバー２４が、非伸縮性の生地で形成された構造をなしている。
【００２０】
背面カバー２６及び肘掛けカバー２８，２８を形成する、伸縮性を有する生地としては、特に限定はないが、例えば、ポリエステル繊維や、ポリウレタン繊維等の伸縮性を有する繊維からなる糸を用いて作成した織生地や編み生地などを用いることができる。
【００２１】
一方、背もたれカバー２０及び座面カバー２４を形成する、非伸縮性の生地としては、特に限定はないが、伸縮性の低い繊維からなる糸を用いて作成したジャガード織り生地、平織り生地、ドビー織り生地、タフタ生地、オックスフォード生地、等の織物生地や、レザー、不織布などを用いることができる。
【００２２】
そして、図１及び図３に示すように、このソファーカバー１０においては、背もたれカバー２０と座面カバー２４との接続部Ａの裏側に、所定間隔をあけて複数の筒状バンド３０（ここでは２個）が取付けられており、この筒状バンド３０に、ソファー１の背もたれ部３と座面部５との隙間に差し込まれる、ストッパー部材４０が装着可能な構造とされている。
【００２３】
また、図１に示すように、座面カバー２４と各肘掛けカバー２８，２８との接続部Ｂの裏側にも、ソファー１の座面部５と各肘掛け部７，７との隙間に差し込まれる、ストッパー部材４０が装着可能な構造となっている。すなわち、座面カバー２４と各肘掛けカバー２８，２８との接続部Ｂの裏側にも、図示しない筒状バンドがそれぞれ取付けられており（ここでは１個）、各筒状バンドにストッパー部材４０が装着されている。
【００２４】
各筒状バンド３０は、ゴムを有する伸縮可能で、かつ、両端が開口した略円筒状をなしており、該筒状バンド３０に各ストッパー部材４０がそれぞれ挿入されて、筒状バンド３０の端開口から突き出して装着されるようになっている（図３〜５参照）。
【００２５】
なお、図４に示すように、前記筒状バンド３０は、帯状体３１の両端部３３，３４を、３層以上に折り返して重ね合わせ、この重ね合わせた部分が、ソファーカバー１０の裏側に縫着されることで構成されている。ここでは、所定長さで伸びる帯状体３１の一端部３３を折り曲げて２層に重ね合わせると共に、帯状体３１の他端部３４を、前記２層部分の外周に沿って配置して４層に重ね合わせて、この重ね合わせた部分を、縫着糸３７によって、ソファーカバー１０の裏側に縫着することで、筒状バンド３０が構成されている。なお、帯状体３１の一端部３３の折り曲げ部も、縫着糸３８を介してソファーカバー１０の裏側に縫着されている（図４及び図６参照）。
【００２６】
また、図４に示すように、筒状に形成された帯状体３１の最小内径Ｄ１は、後述するストッパー部材４０の最大外径Ｄ２（図６参照）よりも小さくなるように形成されていることが好ましい。
【００２７】
なお、筒状バンドとしては、ゴムを有する伸縮可能な構造で、両端が開口した筒状をなしていればよく、上記構造に限定されるものではない。また、筒状バンドの取付位置や取付個数、取付方法等についても、特に限定はされない。
【００２８】
また、前記ストッパー部材４０は、弾性材料で形成された棒状体からなっている。図３〜６に示すように、この実施形態のストッパー部材４０は、スポンジや発泡ポリウレタン等の発泡性樹脂からなる円柱状をなした柱状芯材４１と、その外周を覆うと共に、前記柱状芯材４１よりも密度の高い表皮材４３とから構成されている。また、表皮材４３の外周面には、所定間隔で多数の凸部４５が突設されている。
【００２９】
更に、図６に示すストッパー部材４０の最大外径Ｄ２（ここでは凸部４５も含めた外径）は、筒状バンド３０の帯状体３１の最小内径Ｄ１よりも大きく形成されていることが好ましい。
【００３０】
なお、ストッパー部材の外周面に、凸部ではなく凹部を設けたり、或いは、凸部及び凹部の両方を設けてもよい。また、ストッパー部材としては、上記のような柱状芯材及び表皮材からなる２層構造としなくてもよく、１層構造や３層以上の多層構造としてもよい。なお、ストッパー部材が１層構造の場合には、その外周面に直接、凸部や凹部を設けることとなる。
【００３１】
なお、この実施形態においては、１個の筒状バンド３０に、１個のストッパー部材４０を挿入して装着しているが、これに限定されるものではなく、複数の筒状バンド３０に、長く伸びた１個のストッパー部材４０を挿入して装着するようにしてもよい。ただし、この場合でも、筒状バンド３０の両端開口から、ストッパー部材４０が突き出るように装着される。
【００３２】
また、この実施形態におけるストッパー部材４０は、柱状芯材４１と表皮材４３とからなる略円柱状をなしているが、例えば、三角形の柱状や、四角形の柱状、五角形の柱状、六角形の柱状等の、多角形の柱状をなしていてもよく、また、中心に貫通孔を設けた円筒状をなしていてもよく、特に限定はされない。更に、ストッパー部材を形成する弾性材料としては、例えば、発泡樹脂や、エラストマー、ゴム等も採用することができ、弾性を有していて、伸縮バンドと協働して引っ張り力を吸収可能なものであれば、特に限定されない。
【００３３】
次に、本発明に係るソファーカバー１０の使用方法及び作用効果について説明する。
【００３４】
まず、筒状バンド３０にストッパー部材４０を装着させる。すなわち、図４に示すように、筒状バンド３０の一端開口からストッパー部材４０を押し込んでいくと、筒状バンド３０を押し広げつつストッパー部材４０が挿入されていき、筒状バンド３０の両端開口からストッパー部材４０が突出するまで押し込むと、図５及び図６に示すように、筒状バンド３０の内周にストッパー部材４０の外周が密接した状態で、筒状バンド３０にストッパー部材４０を装着することができる。これを繰り返して、各筒状バンド３０の両端開口からストッパー部材４０が突き出るように、筒状バンド３０ににストッパー部材４０を装着する。
【００３５】
続いて、図７に示すように、ソファー１の背もたれ部３の背面側や肘掛け部７に、ソファーカバー１０の背面カバー２６や肘掛けカバー２８を被せ、その後、背もたれカバー２０と座面カバー２４の接続部Ａの裏側に装着された、ストッパー部材４０を、ソファー１の背もたれ部３と座面部５との隙間に差し込んで押し込む。すると、ストッパー部材４０によって、背もたれカバー２０や座面カバー２４が引っ張られて、背もたれ部３の正面側に背もたれカバー２０がフィットして配置されると共に、座面部５に座面カバー２４がフィットして配置される。更に、座面カバー２４と肘掛けカバー２８との接続部Ｂの裏側に装着されたストッパー部材４０を、ソファー１の座面部５と肘掛け部７，７との隙間に差し込んで押し込むことにより、ソファー１の座面部５に、座面カバー２４をフィットして被せることができ、図８に示すように、ソファー１の外周をソファーカバー１０で覆うように装着することができる。
【００３６】
上記のように、このソファーカバー１０においては、非伸縮性の生地からなる背もたれカバー２０及び座面カバー２４を有していても、伸縮性を有する生地と組合せることにより、ソファー形状に適合させて装着することが可能となる。
【００３７】
また、このソファーカバー１０では、各ストッパー部材４０を、ソファー１の背もたれ部３と座面部５との隙間や、座面部５と肘掛け部７との隙間に差し込むことにより、ソファーカバー１０が引っ張られたとしても、ソファー１の各隙間に挿入されたストッパー部材４０が、カバー引っ張り時に引っ掛かって、その位置に保持されるので、ソファーカバー１０の位置ずれを抑制することができる。
【００３８】
そして、このソファーカバー１０においては、ソファー１の背もたれ部３の正面側を覆う背もたれカバー２０と、座面部５を覆う座面カバー２４が、非伸縮性の生地で形成されているので、伸縮性を有する生地で形成されている場合よりも、生地の剛性や耐久性を高めることができ、背もたれカバー２０や座面カバー２４の伸びや、へたり、擦れ、破損等を効果的に抑制して、ソファーカバー１０を長期に亘って快適に利用することができる。
【００３９】
また、背面カバー２６が伸縮性を有する生地で形成されているので、ソファー１の背もたれ部３が高かったり低かったりした場合でも、背面カバー２６を適宜伸縮させて、ソファー１の背もたれ部３の背面側にフィットさせて装着することができ、その結果、ソファー１の背もたれ部３の正面側に、非伸縮性の背もたれカバー２０を確実に配置することができる。更に、肘掛けカバー２８，２８も伸縮性を有する生地で形成されているので、ソファー１の肘掛け部７，７が大きかったり幅広であったりした場合でも、肘掛けカバー２８，２８を、ソファー１の肘掛け部７，７にフィットさせて装着することができ、ソファー１の座面部５に座面カバー２４を確実に配置することができる。
【００４０】
このように、非伸縮性の生地からなる背もたれカバー２０及び座面カバー２４を有していても、伸縮性を有する生地からなる背面カバー２６と肘掛けカバー２８，２８と組合せることによって、ソファー形状に適合させて、ソファーカバー１０をしっかりと装着することができ、汎用性を高めて利便性を向上させることができる。
【００４１】
また、この実施形態においては、背もたれカバー２０と座面カバー２４の接続部Ａの裏側、及び／又は、座面カバー２４と肘掛けカバー２８の接続部Ｂの裏側に、ストッパー部材４０が装着可能とされているので、このストッパー部材４０を、ソファー１の背もたれ部３と座面部５との隙間や、ソファー１の座面部５と肘掛け部７との隙間に差し込むことで、ソファー１の背もたれ部３及び座面部５に、背もたれカバー２０及び座面カバー２４を、よりフィットさせて装着することができると共に、ソファーカバー１０のずれを、より効果的に防止することができる（図８参照）。
【００４２】
更に、このソファーカバー１０においては、筒状バンド３０がゴムを有する伸縮可能であるのに加えて、ストッパー部材４０も弾性材料で形成されているので、ソファーカバー１０が引っ張られた場合には、図９に示すように、筒状バンド３０が伸縮変形すると共に、筒状バンド３０の両端開口から突出したストッパー部材４０も弾性変形するので、ソファーカバー１０に作用する引っ張り力を、筒状バンド３０及びストッパー部材４０の変形によって吸収することができる。その結果、ストッパー部材４０を、ソファー１の背もたれ部３と座面部５との隙間や、座面部５と肘掛け部７との隙間から引き抜かれにくくすることができるので、ソファーカバー１０の位置ずれ防止を、より確実に図ることができる。
【００４３】
また、この実施形態においては、図５及び図６に示すように、ストッパー部材４０は、その外周面に多数の凸部４５や凹部が形成され、これらの凸部４５等が、筒状バンド３０の内周に当接するので、筒状バンド３０に対してストッパー部材４０を位置ずれしにくくすることができる。更に、筒状バンド３０の両端から突出したストッパー部材４０の凸部４５等が、ソファー１の背もたれ部３と座面部５との隙間の内周や、座面部５と肘掛け部７との隙間の内周に当接するので、ソファー１の各隙間からストッパー部材４０を、より引き抜かれにくくすることができる。
【００４４】
また、この実施形態においては、図５及び図６に示すように、ストッパー部材４０は、発泡性樹脂からなる柱状芯材４１と、その外周面に凸部４５等を設けた表皮材４３とから構成されている。そのため、ストッパー部材４０を、発泡性樹脂からなる柱状芯材４１によって、その弾性を確保しつつ、この柱状芯材４１の外周を覆う、柱状芯材４１よりも密度の高い表皮材４３に、凸部４５等を形成したことで、筒状バンド３０の内周や、ソファー１の各隙間の内周に対する保持力を、より高めることができる。
【００４５】
更にこの実施形態においては、図４及び図６に示すように、筒状バンド３０は、帯状体３１の両端部３３，３４を、３層以上に折り返して重ね合わせ、この重ね合わせた部分が、ソファーカバー１０の裏側に縫着されることで構成されているので、筒状バンド３０をソファーカバー１０の裏側に強固に取付けることができる。
【００４６】
なお、本発明は、上述した実施形態に限定されるものではなく、本発明の要旨の範囲内で、各種の変形実施形態が可能であり、そのような実施形態も本発明の範囲に含まれる。
【符号の説明】
【００４７】
１  ソファー
３  背もたれ部
５  座面部
７  肘掛け部
１０  ソファーカバー
２０  背もたれカバー
２４  座面カバー
２６  背面カバー
２８  肘掛けカバー
３０  筒状バンド
３１  帯状体
３３  一端部
３４  他端部
３７，３８  縫着糸
４０  ストッパー部材
４１  柱状芯材
４３  表皮材
４５  凸部
【要約】
【課題】長期に亘って使用しても背もたれや座面部の破損等を抑制できるソファーカバーを提供する。
【解決手段】このソファーカバー１０は、背もたれ部３と座面部５と肘掛け部７とを備えるソファー１を覆うもので、背もたれ部正面側を覆う背もたれカバー２０と、その下縁部に接続された座面部を覆う座面カバー２４と、背もたれカバー２０の上縁部に接続され、背もたれ部３の背面側を覆う背面カバー２６と、背もたれカバー２０、座面カバー２４及び背面カバー２６の左右両側に接続され、肘掛け部７を覆う肘掛けカバー２８とを備え、背面カバー２６及び肘掛けカバー２８が伸縮性を有する生地で形成され、背もたれカバー２０及び座面カバー２４が非伸縮性の生地で形成されている。
【選択図】図１【図１】
0005887450.tif 000002
【図２】
0005887450.tif 000003
【図３】
0005887450.tif 000004
【図４】
0005887450.tif 000005
【図５】
0005887450.tif 000006
【図６】
0005887450.tif 000007
【図７】
0005887450.tif 000008
【図８】
0005887450.tif 000009
【図９】
0005887450.tif 000010